(57)【要約】【課題】録画予約して記録した番組の検索を行うためのサムネイル画像を、番組の特徴的な代表画像により作成することにある。【解決手段】  繰返し予約される録画予約によりハードディスク６３に記録される番組の代表画像が、デフォルト値により設定される経過時間の時点と異なる新たな経過時間の画像が指定されて、取得された場合には、新たな経過時間により代表画像を取得するための更新番組録画テーブルをマイコン７６により作成する。以降の繰返し予約録画における代表画像は更新番組録画テーブルを用いて録画番組検索用サムネイル画像を作成するようにして映像信号記録再生装置の構成を実現した。【選択図】図６
2005151085.tif 000002
【特許請求の範囲】
【請求項１】
共通のテーマを扱う一連の放送番組列は所定の時間間隔をもって放送開始する複数の放送番組が放送順に配列してなり、放送される前記一連の放送番組列を放送順に受信して録画し、順次録画した各放送番組からそれぞれ当該番組の頭出し再生に好適な静止画像を抽出し、抽出した各静止画像を前記放送順に配列したサムネイル画像を作成し、前記サムネイル画像を閲覧検索することにより、録画した前記一連の放送番組列からの所望の放送番組の頭出し再生を可能とする録画放送番組検索用サムネイル画像の作成方法であって、
録画した第１の放送番組に係る１の静止画像を、第１の放送番組の放送開始時刻に関連した録画開始時刻から第１の時間経過した録画時刻に位置する放送番組に係る画像として取得する第１のステップと、
前記第１のステップで取得した静止画像を基に第１の放送番組を再生し、再生した再生画像を閲覧して前記第１のステップで取得した静止画像が有する画像情報よりも頭出し再生用としてより好適な画像情報を有する別の静止画像を検出したときには、新たに検出した静止画像を前記サムネイル画像の１画像として登録し直す第２のステップと、
前記第２のステップで登録し直した静止画像の取得位置を、前記第１の放送番組の録画開始時刻から経過した第２の時間として検出する第３のステップと、
前記第１の放送番組に続く第２の放送番組に係る１の静止画像を、第２の放送番組の放送開始時刻に関連した録画開始時刻から第２の時間経過した録画時刻に位置する放送番組に係る画像として取得する第４のステップと
を有してなすことを特徴とする録画番組検索用サムネイル画像の作成方法。
【請求項２】
共通のテーマを扱う一連の放送番組列は所定の時間間隔をもって放送開始する複数の放送番組が放送順に配列してなり、放送される前記一連の放送番組列を放送順に受信して録画し、順次録画した各放送番組からそれぞれ当該番組の頭出し再生に好適な静止画像を抽出し、抽出した各静止画像を前記放送順に配列したサムネイル画像を作成し、前記サムネイル画像を閲覧検索することにより、録画した前記一連の放送番組列からの所望の放送番組の頭出し再生を可能とする映像信号記録再生装置であって、
録画した第１の放送番組に係る１の静止画像を、第１の放送番組の放送開始時刻に関連した録画開始時刻から第１の時間経過した録画時刻に位置する放送番組に係る画像として取得する静止画取得手段と、
前記静止画取得手段で取得した静止画像を基に第１の放送番組を再生し、再生した再生画像を閲覧して前記第１のステップで取得した静止画像が有する画像情報よりも頭出し再生用としてより好適な画像情報を有する別の静止画像を検出したときには、新たに検出した静止画像を前記サムネイル画像の１画像として登録し直す静止画更新手段と、
前記静止画更新手段で登録し直した静止画像の取得位置を、前記第１の放送番組の録画開始時刻から経過した第２の時間として検出する時間検出手段と、
前記第１の放送番組に続く第２の放送番組に係る１の静止画像を、第２の放送番組の放送開始時刻に関連した録画開始時刻から第２の時間経過した録画時刻に位置する放送番組に係る画像として取得する更新静止画取得手段と、
を具備して構成したことを特徴とする映像信号記録再生装置。
【発明の詳細な説明】
【技術分野】
【０００１】
本発明は、録画した番組を検索するために用いる録画番組一覧用サムネイル画像の作成方法、及びその作成方法を搭載した映像信号記録再生装置に関するものである。
【背景技術】
【０００２】
従来、ＶＴＲ、ハードディスクレコーダなどで記録した番組の頭出し再生を行うため、番組の一部を検索用小画面として表示し、それを基に番組を認識して再生するようにした、サムネイル画像の作成、及び記録がなされている。
【０００３】
そのサムネイル画像は、録画した番組の特徴的な一部の画面を表示するのが好ましい。そこで、録画した映像信号の所定部分からサムネイル画像又はサムネイル動画像を作成して表示し、録画した映像ファイルの頭出し再生を行うようにしていた（例えば、特許文献１参照。）。
【特許文献１】特開２００３−６１０３９号公報
【発明の開示】
【発明が解決しようとする課題】
【０００４】
しかしながら、受信して記録される映像信号の、所定時間経過した画像部分をサムネイル画像として取り込み、表示する場合において、必ずしもその部分が録画した番組の特徴的な部分を表現しているとは限らない。例えば取り込んだ画像がＣＭ放送中の画像である場合などには全く記録した番組内容と異なるものであり、そのサムネイル画像を基にした好適な番組の検索を行なうことはできない。
【０００５】
そこで本発明は、繰返し予約する番組に対して、及び番組のカテゴリが共通である番組ごとに、その番組の特徴的な映像の存在する個所を想定し、想定された個所で受信される画像を代表画像として取得し、取得された画像をサムネイル画像として表示するようにし、好適な頭出し再生を行うためのサムネイル画像を提示するようにした録画番組一覧用サムネイル画像の作成方法、及び映像信号記録再生装置の構成を提供しようとするものである。
【課題を解決するための手段】
【０００６】
本発明は、上記課題を解決するために以下の１）又は２）の手段より成るものである。
すなわち、
【０００７】
１）  共通のテーマを扱う一連の放送番組列は所定の時間間隔をもって放送開始する複数の放送番組が放送順に配列してなり、放送される前記一連の放送番組列を放送順に受信して録画し、順次録画した各放送番組からそれぞれ当該番組の頭出し再生に好適な静止画像を抽出し、抽出した各静止画像を前記放送順に配列したサムネイル画像を作成し、前記サムネイル画像を閲覧検索することにより、録画した前記一連の放送番組列からの所望の放送番組の頭出し再生を可能とする録画放送番組検索用サムネイル画像の作成方法であって、
録画した第１の放送番組に係る１の静止画像を、第１の放送番組の放送開始時刻に関連した録画開始時刻から第１の時間経過した録画時刻に位置する放送番組に係る画像として取得する第１のステップ（Ｓ２４、Ｓ２６）と、
前記第１のステップで取得した静止画像を基に第１の放送番組を再生し、再生した再生画像を閲覧して前記第１のステップで取得した静止画像が有する画像情報よりも頭出し再生用としてより好適な画像情報を有する別の静止画像を検出したときには、新たに検出した静止画像を前記サムネイル画像の１画像として登録し直す第２のステップ（Ｓ３２、Ｓ３３）と、
前記第２のステップで登録し直した静止画像の取得位置を、前記第１の放送番組の録画開始時刻から経過した第２の時間として検出する第３のステップ（Ｓ２２、Ｓ２３）と、
前記第１の放送番組に続く第２の放送番組に係る１の静止画像を、第２の放送番組の放送開始時刻に関連した録画開始時刻から第２の時間経過した録画時刻に位置する放送番組に係る画像として取得する第４のステップ（Ｓ２５、Ｓ２６）と
を有してなすことを特徴とする録画番組検索用サムネイル画像の作成方法。
２）  共通のテーマを扱う一連の放送番組列は所定の時間間隔をもって放送開始する複数の放送番組が放送順に配列してなり、放送される前記一連の放送番組列を放送順に受信して録画し、順次録画した各放送番組からそれぞれ当該番組の頭出し再生に好適な静止画像を抽出し、抽出した各静止画像を前記放送順に配列したサムネイル画像を作成し、前記サムネイル画像を閲覧検索することにより、録画した前記一連の放送番組列からの所望の放送番組の頭出し再生を可能とする映像信号記録再生装置であって、
録画した第１の放送番組に係る１の静止画像を、第１の放送番組の放送開始時刻に関連した録画開始時刻から第１の時間経過した録画時刻に位置する放送番組に係る画像として取得する静止画取得手段（７５、７５ａ）と、
前記静止画取得手段で取得した静止画像を基に第１の放送番組を再生し、再生した再生画像を閲覧して前記第１のステップで取得した静止画像が有する画像情報よりも頭出し再生用としてより好適な画像情報を有する別の静止画像を検出したときには、新たに検出した静止画像を前記サムネイル画像の１画像として登録し直す静止画更新手段（７５、７５ｂ）と、
前記静止画更新手段で登録し直した静止画像の取得位置を、前記第１の放送番組の録画開始時刻から経過した第２の時間として検出する時間検出手段（７５）と、
前記第１の放送番組に続く第２の放送番組に係る１の静止画像を、第２の放送番組の放送開始時刻に関連した録画開始時刻から第２の時間経過した録画時刻に位置する放送番組に係る画像として取得する更新静止画取得手段（７５、７５ａ）と、
を具備して構成したことを特徴とする映像信号記録再生装置。
【発明の効果】
【０００８】
本発明の録画番組一覧用サムネイル画像の作成方法、及び映像信号記録再生装置によれば、以下の１）又は２）に示す効果を提供することができる。
すなわち、
【０００９】
１）  繰返し予約して録画される番組を検索するための静止画像が予め定められた所定の時間と異なる新たな時間の画像として指定され、取得された場合には、その指定以降の静止画像は新たな時間を基にサムネイル画像を作成するようにしているため、好適な頭出し再生を行うためのサムネイル画像を閲覧可能にした録画番組一覧用サムネイル画像の作成方法を実現できる。
２）  上記１）項に記載するサムネイル画像の作成方法を装置に搭載し、好適な頭出し再生を行うためのサムネイル画像を閲覧可能にした映像信号記録再生装置の構成を実現できる。
【発明を実施するための最良の形態】
【００１０】
以下、本発明の録画番組一覧用サムネイル画像の作成方法、及び映像信号記録再生装置の実施の形態につき、好ましい実施例により説明する。
【実施例１】
【００１１】
図１に、その第１の実施例に関わる映像信号記録再生装置の概略構成を示し、図面を参照し説明する。
【００１２】
同図に示す映像信号記録再生装置４は、テレビチューナ５１、Ａ／Ｄ変換器５２、ＭＰＥＧ（moving picture experts group）−２エンコーダ５３、及びバッファメモリ５５よりなる記録部５と、ハードディスク記録再生器６１、ハードディスク６３、及び書き込み読み出し制御器６５よりなる媒体部６と、バッファメモリ７１、ＭＰＥＧ−２デコーダ７２、ＯＳＤ（On Screen Display）７３、Ｄ／Ａ変換器７４、及びマイコン７６よりなる再生部７とより構成される。
【００１３】
記録部５のテレビチューナ５１にはアンテナが、再生部７のＤ／Ａ変換器７４にはモニタテレビ９が、そしてマイコン７６には操作部がそれぞれ接続されている。
次に、映像信号記録再生装置４の動作について述べる。
【００１４】
まず、マイコン７６が操作されて所望の放送番組の録画が予約なされる。予約された時刻が到来するときに、テレビチューナ５１は所望の放送チャンネルを受信し映像出力を得る。得られた映像出力はＡ／Ｄ変換器５２に供給されてディジタル映像信号に変換される。ディジタル映像信号はＭＰＥＧ−２エンコーダ５３により圧縮符号化されバッファメモリ５５に供給される。
【００１５】
バッファメモリ５５に一時記憶されたディジタル圧縮符号化信号はハードディスク記録再生器６１によりハードディスク６３に記録するためのフォーマットの信号に変換され、そのフォーマットの信号はハードディスク６３に供給されて記録される。
【００１６】
そのハードディスク６３は、ＭＰＥＧ−２エンコーダ５３から出力されるビットストリームの２倍以上の、データレートの信号の記録及び再生ができるようになされる動作能力を有している。従って、ハードディスク６３に記録された信号は次の時間に再生されると共に、再生された信号はハードディスク記録再生器６１で上記のフォーマット変換と相補的な動作により圧縮符号化された信号が得られ、その得られた信号はバッファメモリ７１に供給され、そこに一時記憶される。
【００１７】
バッファメモリ５５及びバッファメモリ７１は、ハードディスクが時間分割して行う記録及び再生動作により間欠的とされる信号を、連続した信号に変換するためのバッファ回路である。
【００１８】
次に、バッファメモリ７１に記憶された圧縮符号化信号はＭＰＥＧ−２デコーダ７２に供給されディジタル映像信号が復号される。復号された映像信号の一部はＯＳＤ７３で映像信号記録再生装置４の動作状態に係る情報が付加されてＤ／Ａ変換器７４に供給される。そこでは、アナログ信号に変換された映像信号はモニタＴＶ９に供給されて表示されると共に、ＭＰＥＧ−２デコーダ７２で復号された映像信号の他の一部はマイコン７６に供給される。
【００１９】
そのマイコン７６では、予約されて開始された録画信号の、所定時間経過した信号を代表画像として取得し、取得された代表画像を用いてサムネイル画像を作成する。そのサムネイル画像は、ハードディスク６３に記録された複数の映像信号のうち、所望の記録に対する検索頭出し、再生を行うために用いる。
【００２０】
ここで、サムネイルを構成する画像としては、記録した番組に対する特徴的であり、代表的な画像が用いられると、使用者はサムネイル画像から録画されている番組を容易に特定することができ、容易に頭出し再生が出来るなど好ましい。
【００２１】
一方、番組にはＣＭ（commercial message）が挿入されることもあり、仮にサムネイル画像としてＣＭの画像が用いられてしまった場合には、そのＣＭの画像から番組の内容を特定するのは困難である。しかし、番組が開始された後に挿入されるＣＭの時間は特定されていないのが通例である。
【００２２】
そこで、サムネイル画像として適当な画像が取得されなかったことを認識した利用者は、マイコン７６を操作し、書き込み読み出し制御器６５を操作しつつ所望の映像の記録される記録部分を探し出し、その部分の画像をサムネイル画像として指定する。そして、マイコン７６は、指定された画像部分をサムネイル画像として取り込み、画像取り込みに係る番組開始後の時間位置を記憶する。
【００２３】
上記の録画予約の設定、及びサムネイル画像の取得に係る動作はマイコン７６により制御されて実行される。すなわち、マイコン７６は何曜日の何時から開始された番組のサムネイル画像は番組開始後のどの位置が指定されて取得されたかを一覧表に記述し、その記述作成されたサムネイル画像取得時間テーブルが記憶される。
【００２４】
一般に、同一曜日に繰り返して放送される連続番組は、番組の時間的な構成は類似するパターンによって編成される例が多く、上記の操作により設定されたサムネイル画像取得時間における他の日に放送される番組も、番組を識別するための特徴的な画像が放送されている場合が多く存在する。
【００２５】
従って、操作により指定されたサムネイル画像取得時間の画像をサムネイル画像として用いることにより、その画像は番組内容を特徴的に示している場合である確率が高いため、好適なサムネイル画像の取得方法として用いることができる。
【００２６】
以上、映像信号記録再生装置４の構成と動作について概説した。
次に、映像信号記録再生装置の録画予約及びサムネイル画像の取得動作についてさらに述べる。
図２に、録画番組の時間経過に対して取り込まれるサムネイル画像の取り込み位置の関係を示し、同図を参照して説明する。
【００２７】
同図において、録画予約が設定され、録画が開始された時刻ｔ０からの経過時間に対してなされるＣＭ放送の位置とサムネイル画像の取り込み位置の関係を示している。
図中で、網点の付されるｔ１〜ｔ２、及びｔ３〜ｔ４の位置はＣＭ放送がなされている時間帯である。
【００２８】
映像信号記録再生装置４において、サムネイル画像取り込むためにデフォルト値として、例えば工場出荷時に設定されている取得位置は時刻ｔａである。しかしこの時間にはＣＭ放送がなされており、好適なサムネイル画像が取得されない。そこで、操作により時刻ｔｂにおける画像をサムネイル画像取得位置として選択するように、使用者により操作され、変更される。
【００２９】
ここで、繰返しタイプが毎週であり、その時刻ｔ０から開始される番組の場合は、同様な時間編成で放送されることが多いことにより、次週以降に録画される番組のサムネイル画像取得位置はｔａを用いるよりはｔｂを用いた方が好ましい画像が取得される確率が高いことになる。
【００３０】
図３に、マイコン７３によりなされる録画予約に係り記述される予約テーブルを示し、同図を参照して説明する。
同図に示す予約テーブルには、録画される番組ごとに日付及び開始終了時刻録画日時情報と、受信チャンネルと、録画スピードと、単発、毎週、及び毎日に係る繰返しタイプと、サムネイル取り込み時刻とが記述されている。
【００３１】
サムネイル取り込み時刻に関し（ａ）に示す側はデフォルト値のサムネイル取り込み時刻ｔａが記述されている。そして、前述の図２に示したようにサムネイル取り込み時刻の位置の変更操作がなされたときには、（ｂ）に示すように予約テーブルの時刻がｔｂに変更される。以降、繰り返して受信される番組については変更された時刻ｔｂが用いられてサムネイル画像の取り込みがなされる。
【００３２】
なお、ここで示したサムネイル取り込み時刻を、番組が開始されてから経過する時間により指定する方法、及び１日を２４時間で示す絶対時刻により指定する方法のいずれであっても良い。また、ＥＰＧ（電子プログラムガイド）が用いられて録画予約がなされる場合には、番組開始時刻からの経過時間によりサムネイル画像の取り込み処理がなされる。
【００３３】
さらに、ＥＰＧ情報として得られる情報には番組の種別に係るシリーズ情報、又は分類コード情報が記述されているため、それらの記述情報を基に類似の編成がなされる番組をグループ分けし、同一グループに属する番組に関しては操作により設定されたサムネイル画像取り込み時刻情報を用いて行うようにしても良い。
【００３４】
以上、録画された番組の種別に応じ、番組の時間構成が同一と判断される番組については、操作がなされて設定された取り込み時刻における画像信号を取り込み、取り込んで得られた画像を用いて記録画像を検索して再生するためのサムネイル画像を作成する方法を搭載した映像信号記録再生装置の構成と動作について述べた。
【００３５】
次に、上述のサムネイル画像作成動作について、さらに説明する。
図４に、記録時におけるサムネイル画像の取り込み、作成動作をフローチャートにより示し、図を参照して説明する。
【００３６】
まず、所望の番組が予約されて録画されるときには、Ｓ（ステップ）２１においてその番組は単発録画される番組であるか、又は毎週、毎日録画される繰返しタイプの番組であるかが検出される。検出の方法は、録画予約の設定が繰返し予約されているか、又は電子番組表に記述される文字列を解析して繰返しタイプの番組であるかを検出する方法などがある。
【００３７】
繰返しタイプの番組であるときには、Ｓ２２において過去にその繰返しタイプの番組が録画され、且つその番組のサムネイル画像の取り込み操作がなされたかを検出する。過去にサムネイル画像の取り込み処理がなされているときにはＳ２３において、過去において操作されたサムネイル画像取り込み時刻情報をマイコン７６の所定の記憶領域にロードする。
【００３８】
繰返しタイプの番組でない場合、及び繰返しタイプの番組であっても過去にサムネイル画像の取得操作がなされていないときにはＳ２４において、上記マイコン７６の所定の記憶領域にデフォルト値のサムネイル画像取り込み時刻情報をロードする。
【００３９】
つぎに、Ｓ２５において録画の開始された番組の開始時点からの時刻が検出され、サムネイル画像取り込み時刻が到来するかがチェックされる。その時刻が到来したときにはＳ２６においてＭＰＥＧ−２エンコーダ５３で符号化されたＩフレームの画像（イントラフレーム符号化画像）、又はハードディスク６３に記録し、再生された、ＭＰＥＧ−２デコーダ７２で復号化する画像データが取得されてサムネイル画像として作成される。
【００４０】
以上、録画時におけるサムネイル画像の作成について述べた。
次に、作成されたサムネイル画像の変更に係る動作の流れを説明する。
図５に、録画された番組の再生処理動作をフローチャートにより示し、同図を参照して説明する。
【００４１】
録画された視聴希望の番組を、サムネイル画像を基に識別して再生するに際し、サムネイル画像が適当な画像であるときにはそのままの再生が行われる。すなわち、Ｓ３１においてサムネイル画像の変更処理を行わないとして検出される。一方、録画時に作成されたサムネイル画像が好適でない場合にはＳ３１においてサムネイル画像の変更処理を行うとして検出される。
【００４２】
次に、Ｓ３２で新しいサムネイル画像の取り込み処理がなされ、Ｓ３３において処理のなされたサムネイル画像取得時刻情報が得られ、その得られた時刻情報は上記のマイコン７６の所定の記憶領域に記述されている時刻情報の書き換え処理がなされる。再生時におけるサムネイル画像の変更処理動作を終了する。
【００４３】
以上、映像信号記録再生装置に搭載した録画及び再生時におけるサムネイル画像の作成方法、及びサムネイル画像作成時に用いる時刻情報の書き換え方法について詳述した。
次に、この方法を装置に搭載して実現する場合の構成について述べる。
【００４４】
図６に、サムネイル画像の作成機能を有する映像信号記録再生装置の記録部及び再生部の構成を示し、図面を参照して動作について説明する。前述の構成と同一要素については同じ番号を付し説明を略す。
【００４５】
同図に示す映像信号記録再生装置の記録部５は前述の図１に示した記録部５と同一の構成であり、再生部７ａは前述の再生部７に比し、マイコン７６の代わりにマイコン７５、静止画取得手段７５ａ、静止画更新手段７５ｂ、及びサムネイル蓄積手段７５ｃが設けられている点で異なっている。
【００４６】
まず、毎日又は毎週放送される連続ドラマ、ドキュメンタリー、映画、その他共通のテーマを設定して放送される番組をマイコン７５を操作して毎日予約、毎週予約などの繰返し予約の設定を行う。
【００４７】
その予約設定時間は電子番組表（ＥＰＧ）が用いられて予約される場合には放送開始と同一時刻が録画開始時刻として設定される。しかし、手入力により録画予約を行う場合は例えば番組開始１分前の時刻が録画開始時刻として設定される場合もあるなど、必ずしも番組開始時刻と録画開始時刻とは一致しているとは限らない。
【００４８】
映像信号記録再生装置は、マイコン７５に工場出荷時点などでロードされているサムネイル用画像取得時間が経過した時点で静止画像を取得する。その静止画像は、マイコン７５により管理される時刻に、例えばＭＰＥＧ−２エンコーダ５３により符号化されたイントラ画像（Ｉフレーム）が静止画取得手段７５ａにより取得される。
【００４９】
静止画取得手段７５ａにより取得された静止画像はサムネイル蓄積手段７５ｃに供給され、他の番組の静止画と共にハードディスク６３に記録された複数の番組より視聴を希望する番組の検索画像であるサムネイル画像として作成される。
【００５０】
作成されたサムネイル画像は、必要に応じてＯＳＤ７３を介してモニタＴＶ９に表示される。ここで、サムネイル画像を基に録画した番組を再生するときに、上記のように番組開始時刻と録画開始時刻とが異なる場合には、工場出荷時点で設定された静止画取得時間は好適でない場合があり、前述の図２に示したような不都合が生じることがある。
【００５１】
そこで、ハードディスク６３に記録された番組を再生し、その番組の内容を示す頭出し再生用として好適な画像を取得する。取得された新たな画像は、静止画更新手段７５ｂによりＭＰＥＧ−２デコーダ７２で復号されたイントラ画像を取得する。取得された画像はサムネイル蓄積手段７５ｃに入力され、置換される。
【００５２】
ハードディスク６３に記録された映像信号の再生は、マイコン７５により書き込み読み出し制御器６５が制御されつつ行われている。マイコン７５が操作されて取得された静止画に関する録画開始からの新たな時間位置は、マイコン７５により認識され、認識された時間情報は例えばマイコン７５に接続される図示しない記憶素子又は記憶媒体に蓄積される。
【００５３】
上記のマイコン７５を操作して毎日予約、毎週予約などの録画予約が設定され、次回以降に録画される繰返し番組に係る静止画は、新たな時間位置により行われる。共通のテーマにより編成される番組の時間編成は類似するケースが多く、新たな時間位置を繰り返して用いることにより検索に好適な画像が含まれる確立は高い。
【００５４】
以上、再生部７ａの構成と動作について説明した。
なお、前述の図１に示した再生部７におけるマイコン７６は、上記の静止画取得手段７５ａ、静止画更新手段７５ｂ、サムネイル蓄積手段７５ｃ、及び新たな時間検出手段の機能を併せ持っているものであり、ここではその機能をそれぞれの手段に持たせるものとして述べた。
【００５５】
さらに、そのサムネイル画像の好適な取り込み位置を、マイコン７６自体により決定する方法もあり、次に説明する。
その１つの方法は、例えばデフォルト値で規定される取り込み時刻に受信される番組の内容がＣＭであるか否かについては図示しないＣＭ検出手段により検出し、判定することができる。
【００５６】
すなわち、モノラル放送、及び２カ国語放送におけるＣＭ放送はステレオ放送モードによりなされるため、受信される音声モードの変更を検出することによりＣＭであるか否かが検出される。ＣＭ部として判定されたときにはその前後のＣＭ放送ではないところの画像をサムネイル画像として得るようにする。
【００５７】
一方、サムネイル画像として番組のタイトル画面を用いると番組の識別が容易である。そのタイトル画面の識別は、多くのタイトル文字は単色により記述されることが多い。従って、受信される画像の色度及び明度の分布を検出し、同一の色度及び明度の個所として存在する分布が画像中に複数箇所存在するとして検出されるときは、その画像部分はタイトル画像である可能性が高く、その性質を利用してタイトル文字の画像部分を検出できる。
【００５８】
録画が開始され、タイトル画像であるとされる画像が出現したときには、例えばＭＰＥＧ−２エンコーダ５３の動き検出手段により検出される同一色度及び明度の画像を基にタイトル画像の文字の大きさを判定し、大きな文字により記述される画像をタイトル画像とし、その画像をサムネイル画像として取り込む方法によっても良い。
【００５９】
以上、サムネイル画像の取り込み時刻について、利用者の操作により行う方法と、ＣＭ部を検出して行う方法と、ＭＰＥＧ−２エンコーダの例えば動きベクトル検出回路を用い、及びマイコン７６により画像解析をして判定する方法とについて述べた。いずれの方法によっても良い。
【００６０】
さらに、発明は、上述した映像信号記録再生装置の動作をコンピュータにより実現させるためのプログラムを含むものである。そのコンピュータを実行させるためのプログラムは、例えば、
【００６１】
異なる日の同じ時刻から開始されるシリーズ番組を繰返し予約して記録し、前記記録された番組を検索して再生するための代表画像を、前記録画中の番組より所定時間経過した画像を用い、一覧表示するようになす録画番組一覧用サムネイル画像の作成機能を有して実行される映像信号記録再生装置用プログラムであって、
繰返し録画予約される番組に係る予約情報、及び予め設定された前記代表画像の取得に係る第１の経過時間情報を記述する録画予約テーブルを作成する第１のステップと、
前記第１のステップで作成した録画予約テーブルに従って記録した番組の代表画像が、前記第１の経過時間と異なる第２の経過時間の画像として指定され、取得された場合には、前記録画番組テーブルに記載される経過時間を第２の経過時間に更新した更新番組録画テーブルを作成する第２のステップと、
前記第２のステップ以降の繰返し予約録画は、前記更新番組録画テーブルに記述される第２の経過時間を経過した画像を前記代表画像として取得する第３のステップと、
を少なくとも有して前記装置を制御することを特徴とする映像信号記録再生用プログラムである。
【産業上の利用可能性】
【００６２】
録画した番組を検索して再生するための好適なサムネイル画像を表示することのできる映像信号記録再生装置の実現に利用できる。
【図面の簡単な説明】
【００６３】
【図１】本発明の実施例に係る、映像信号記録再生装置の構成例を示すブロック図である。
【図２】本発明の実施例に係る、取り込まれるサムネイル画像の時間位置の例を示す図である。
【図３】本発明の実施例に係る、録画予約に係り記述される予約テーブル例を示す図である。
【図４】本発明の実施例に係る、記録時におけるサムネイル画像作成に係るフローチャート例である。
【図５】本発明の実施例に係る、再生時におけるサムネイル画像作成に係るフローチャート例である。
【図６】本発明の実施例に係る、映像信号記録再生装置要部の構成例を示すブロック図である。
【符号の説明】
【００６４】
４    映像信号記録再生装置
５    記録部
６    媒体部
７、７ａ    再生部
９    モニタテレビ
５１    テレビチューナ
５２    Ａ／Ｄ変換器
５３    ＭＰＥＧ−２エンコーダ
５５    バッファメモリ
６１    ハードディスク記録再生器
６３    ハードディスク
６５    書き込み読み出し制御器
７１    バッファメモリ
７２    ＭＰＥＧ−２デコーダ
７３    ＯＳＤ
７４    Ｄ／Ａ変換器
７５、７６    マイコン
７５ａ    静止画取得手段
７５ｂ    静止画更新手段
７５ｃ    サムネイル蓄積手段
【図１】
2005151085.tif 000003
【図２】
2005151085.tif 000004
【図３】
2005151085.tif 000005
【図４】
2005151085.tif 000006
【図５】
2005151085.tif 000007
【図６】
2005151085.tif 000008